(57)【要約】【課題】肢体を支持する肢体支持面を構成する型枠にカバーを強く緊張して簡便に張設し、又、カバーを取り替えて肢体支持面のデザインを一新出来るようにする。【解決手段】肢体支持面を覆う表面材３１と型枠の枠桿１２を覆う裏面材３２を周縁で連続させ、裏側に裏面材に縁取られた嵌込口３５を形成し、周縁の絞り込まれた水盤形状にカバー３０を構成し、嵌込口から嵌め込んで型枠２８にカバーを被せる。嵌込口の周縁と型枠の枠桿１２には雌雄係合する係止部１５・２７を設け、その係止部を介してカバー３０と型枠２８が係脱自在に接合する。カバー３０には、破断伸度６０％以上、１５％伸長後の弾性回復率９０％以上、１０％伸長時の伸長応力０．１ｃＮ／ｄｔｅｘ以上、繊度３００ｄｔｅｘ〜３０００ｄｔｅｘの弾性糸条が使用されており、１０％伸長時の伸長応力が５０Ｎ／５ｃｍ〜６００Ｎ／５ｃｍの弾性布帛を使用するとよい。【選択図】図１
2010246617.tif 000002
【特許請求の範囲】
【請求項１】
（イ）  肢体支持装置品の肢体支持面を形取る型枠（２８）の表面を被覆する肢体支持面カバー（３０）であり、
（ロ）  破断伸度６０％以上、１５％伸長後の弾性回復率９０％以上、１０％伸長時の伸長応力０．１ｃＮ／ｄｔｅｘ以上、繊度３００ｄｔｅｘ〜３０００ｄｔｅｘの弾性糸条を使用して構成され、１０％伸長時の伸長応力が５０Ｎ／５ｃｍ〜６００Ｎ／５ｃｍである弾性布帛を表面材（３１）と裏面材（３２）に使用して縫製されており、
（ハ）  型枠（２８）の表面を被覆する肢体支持面（１１）を覆う表面材（３１）の周囲が肢体支持面（１１）の裏側に折り返されて裏面材（３２）に続いており、
（ニ）  表面材（３１）に表裏するカバー（３０）の裏側に、表面材（３１）の周囲から続く裏面材（３２）に囲まれ、カバー（３０）の周縁部（３３）において折り返されて重なり合う表面材（３１）と裏面材（３２）との隙間（３４）に型枠（２８）を嵌め込むための嵌込口（３５）が形成されており、
（ホ）  その嵌込口（３５）の周縁の全長がカバー（３０）の周縁の全長よりも短く、
（ヘ）  その嵌込口（３５）の周縁に、型枠（２８）の底面または内側側面に係止可能な係止部材（１５）が取り付けられている肢体支持面カバー。
【請求項２】
（ト）  係止部材（１５）がスライドファスナー、面ファスナー、フックの何れかであり、嵌込口（３５）の周縁に沿って部分的に接合されている前掲請求項１に記載の肢体支持面カバー。
【請求項３】
（チ）  係止部材（１５）が、カバー（３０）の内側に向けて隆起した係止爪（１６）を具備する複数個の舌片（１７）によって構成されており、
（リ）  それらの係止爪（１６）の爪先（１８）が、嵌込口（３５）の周縁からカバーの周縁部（３３）を経て表面材（３１）に向かう方向に突出しており、その舌片本体（１７）と爪先（１８）の間が嵌合隙間（１９）になっており、
（ヌ）  それら複数個の舌片（１７）が、嵌込口（３５）の周縁に沿って配列されている前掲請求項１に記載の肢体支持面カバー。
【請求項４】
（ル）  複数個の隣り合う舌片（１７）と舌片（１７）の間が連結されており、且つ、舌片（１７）と舌片（１７）の間に間隙（２０）があり、
（オ）  舌片（１７）と舌片（１７）の間を連結している連結部（２４）が、その間隙（２０）の奥まった箇所に位置し、
（ワ）  その間隙（２０）が、隣り合う舌片（１７）と舌片（１７）に挟まれたＵ字形入り江状になっており、
（カ）  その連結部（２４）において、隣り合う舌片（１７）と舌片（１７）の間が可撓になっており、
（ヨ）  複数個の各舌片（１７）が、嵌込口（３５）の周縁を縁取る裏面材（３２）に縫糸（２１）によって縫合されている前掲請求項３に記載の肢体支持面カバー。
【請求項５】
（タ）  舌片（１７）と舌片（１７）の間の連結部（２４）が破断されており、
（レ）  係止部材（１５）が、複数個の舌片（１７・１７・１７………）に分割されている前掲請求項４に記載の肢体支持面カバー。
【請求項６】
（ソ）  係止部材（１５）が、型枠（２８）を嵌め込む隙間（３４）を間に挟んで表面材（３１）に向き合う裏面材（３２）の内面に取り付けられており、
（ツ）  係止部材（１５）が、裏面材（３２）に覆われている前掲請求項１〜５の何れかに記載の肢体支持面カバー。
【請求項７】
（ネ）  表面材（３１）から裏面材（３２）へと連続するカバーの周縁部（３３）が、部分的に切除されており、型枠（２８）を嵌め込む隙間（３４）がカバー（３０）の外面に現われる露出口（３６）を形成している前掲請求項１〜６の何れかに記載の肢体支持面カバー。
【請求項８】
（ナ）  露出口（３６）が、型枠（２８）のコーナー（３７）に向き合うカバーの周縁部（３３）のコーナーに設けられている前掲請求項７に記載の肢体支持面カバー。
【請求項９】
（ａ）  肢体支持装置品の肢体支持面を形取る型枠（２８）が、前掲請求項１に記載のカバー（３０）の表面材（３１）と裏面材（３２）との間の隙間（３４）に、嵌込口（３５）から押し込まれ、カバー（３０）によって被覆されており、
（ｂ）  型枠（２８）の周縁が、カバー（３０）の周縁部（３３）の内面に密着しており、
（ｃ）  嵌込口（３５）の周縁の係止部材（１５）が、カバー（３０）の表面材（３１）に表裏する型枠（２８）の底面、または、カバー（３０）の周縁部（３３）に表裏する型枠（２８）の内側側面に係止されている肢体支持面材。
【請求項１０】
（ｄ）  カバー（３０）の係止部材（１５）が、カバー（３０）の内側に向けて隆起した係止爪（１６）を具備する複数個の舌片（１７）によって構成されており、
（ｅ）  それらの係止爪（１６）の爪先（１８）が、嵌込口（３５）の周縁からカバーの周縁部（３３）を経て表面材（３１）に向かう方向に突出しており、その舌片本体（１７）と爪先（１８）の間が嵌合隙間（１９）になっており、
（ｆ）  それら複数個の舌片（１７）が、嵌込口（３５）の周縁に沿って配列されている爪先（１８）が裏面材（３２）からカバーの周縁部（３３）を経由して表面材（３１）へと向かう方向に突出している係止爪（１６）がカバー（３０）の内側に向けて隆起している複数個の舌片（１７）によって構成されており、
（ｇ）  その複数個の舌片（１７）が、嵌込口（３５）の周縁に沿って配列されており、
（ｈ）  型枠（２８）の底面または内側側面に、カバー（３０）の係止部材（１５）の爪先（１８）が引っ掛かる溝縁（２６）を有する係合溝（２５）が、型枠（２８）の周縁の続く方向に沿って連続して設けられており、
（ｉ）  その係合溝（２５）の溝縁（２６）が、カバー（３０）の舌片本体（１７）と爪先（１８）の間の嵌合隙間（１９）に嵌合している前掲請求項９に記載の肢体支持面材。
【請求項１１】
（ｊ）  表面材（３１）から裏面材（３２）へと連続するカバーの周縁部（３３）が、部分的に切除されており、型枠（２８）を嵌め込む隙間（３４）がカバー（３０）の外面に現われる露出口（３６）を形成しており、
（ｋ）  型枠（２８）の一部が、その露出口（３６）から露出している前掲請求項９〜１０の何れかに記載の肢体支持面材。
【請求項１２】
（ｌ）  露出口（３６）が、型枠（２８）のコーナー（３７）に向き合うカバーの周縁部（３３）のコーナーに設けられている前掲請求項１１に記載の肢体支持面材。
【請求項１３】
肢体支持面（１１）が、前掲請求項９〜１２の何れかの肢体支持面材（１０）によって構成されている椅子。
【発明の詳細な説明】
【技術分野】
【０００１】
本発明は、ベッド、マットレス、枕、肘掛け、車椅子、座椅子、椅子、背凭れ、車両座席等の肢体を載せて使用される肢体支持装置品に関するものである。
【背景技術】
【０００２】
頭、腕、脚、腰、背中等の肢体を載せる肢体支持面を縁取る型枠の向き合う枠桿と枠桿の間に、織物、編物、不織布、人工皮革、合成皮革等のカバーを張設して肢体支持面を弾性的に構成することは公知である。
【０００３】
この種のカバーには、破断伸度６０％以上、１５％伸長後の弾性回復率９０％以上、１０％伸長時の伸長応力０．１ｃＮ／ｄｔｅｘ以上、繊度１０００ｄｔｅｘ〜４０００ｄｔｅｘの弾性糸条、例えばポリエーテルエステル系弾性糸条が好んで使用されている。
【０００４】
裏面材の端縁１３には係止部材が取り付けられ、その片端の係止部材を型枠の片側の枠桿に固定し、その向き合う他の片端でカバーを引っ張って伸長し、その他の片端の係止部材を他の片側の枠桿に設けた係合溝に嵌め込んでカバーが型枠に張設されている（例えば、特許文献１参照）。
【先行技術文献】
【特許文献】
【０００５】
【特許文献１】特開平０７−２６５５６４号公報
【発明の概要】
【発明が解決しようとする課題】
【０００６】
カバーは、１５０Ｎ／５ｃｍ〜６００Ｎ／５ｃｍの伸長応力を作用させて枠桿間に張設する必要があるとされる。しかし、そのような強い伸長応力を人力でカバーに作用させて張設することは極めて困難である。そして、そのような伸長応力は、カバーを肢体支持装置品から取り外す時も要求されるので、カバーが汚れた場合に随時取り外して洗濯する訳にも行かず、カバーを随時取り替えて肢体支持装置品のデザインを一新する訳にも行かない。
【０００７】
そこで本発明は、カバーを肢体支持装置品に強く緊張して簡便に張設することが出来るようにすることを第１の目的とする。
【０００８】
本発明の第２の目的は、カバーを手軽に取り替えて肢体支持装置品のデザインを一新することが出来るようにすることである。
【課題を解決するための手段】
【０００９】
本発明に係る肢体支持面カバーは、
（イ）  肢体支持装置品の肢体支持面を形取る型枠２８の表面を被覆する肢体支持面カバー３０であり、
（ロ）  破断伸度６０％以上、１５％伸長後の弾性回復率９０％以上、１０％伸長時の伸長応力０．１ｃＮ／ｄｔｅｘ以上、繊度３００ｄｔｅｘ〜３０００ｄｔｅｘの弾性糸条を使用して構成され、１０％伸長時の伸長応力が５０Ｎ／５ｃｍ〜６００Ｎ／５ｃｍである弾性布帛を表面材３１と裏面材３２に使用して縫製されており、
（ハ）  型枠２８の表面を被覆する肢体支持面１１を覆う表面材３１の周囲が肢体支持面１１の裏側に折り返されて裏面材３２に続いており、
（ニ）  表面材３１に表裏するカバー３０の裏側に、表面材３１の周囲から続く裏面材３２に囲まれ、カバー３０の周縁部３３において折り返されて重なり合う表面材３１と裏面材３２との隙間３４に型枠２８を嵌め込むための嵌込口３５が形成されており、
（ホ）  その嵌込口３５の周縁の全長がカバー３０の周縁の全長よりも短く、
（ヘ）  その嵌込口３５の周縁に、型枠２８の底面または内側側面に係止可能な係止部材１５が取り付けられていることを第１の特徴とする。
【００１０】
本発明に係る肢体支持面カバーの第２の特徴は、上記第１の特徴に加えて、係止部材１５がスライドファスナー、面ファスナー、フックの何れかであり、嵌込口３５の周縁に沿って部分的に接合されている点にある。
【００１１】
本発明に係る肢体支持面カバーの第３の特徴は、上記第１の特徴に加えて、係止部材１５が、カバー３０の内側に向けて隆起した係止爪１６を具備する複数個の舌片１７によって構成されており、それらの係止爪１６の爪先１８が、嵌込口３５の周縁からカバーの周縁部３３を経て表面材３１に向かう方向に突出しており、その舌片本体１７と爪先１８の間が嵌合隙間１９になっており、それら複数個の舌片１７が、嵌込口３５の周縁に沿って配列されている点にある。
【００１２】
本発明に係る肢体支持面カバーの第４の特徴は、上記第３の特徴に加えて、複数個の隣り合う舌片１７と舌片１７の間が連結されており、且つ、舌片１７と舌片１７の間に間隙２０があり、舌片１７と舌片１７の間を連結している連結部２４が、その間隙２０の奥まった箇所に位置し、その間隙２０が、隣り合う舌片１７と舌片１７に挟まれたＵ字形入り江状になっており、その連結部２４において、隣り合う舌片１７と舌片１７の間が可撓になっており、複数個の各舌片１７が、嵌込口３５の周縁を縁取る裏面材３２に縫糸２１によって縫合されている点にある。
【００１３】
本発明に係る肢体支持面カバーの第５の特徴は、上記第４の特徴に加えて、舌片１７と舌片１７の間の連結部２４が破断されており、係止部材１５が、複数個の舌片１７・１７・１７………に分割されている点にある。
【００１４】
本発明に係る肢体支持面カバーの第６の特徴は、上記第１、第２、第３、第４、第５の何れかの特徴に加えて、係止部材１５が、型枠２８を嵌め込む隙間３４を間に挟んで表面材３１に向き合う裏面材３２の内面に取り付けられており、係止部材１５が、裏面材３２に覆われている点にある。
【００１５】
本発明に係る肢体支持面カバーの第７の特徴は、上記第１、第２、第３、第４、第５、第６の何れかの特徴に加えて、表面材３１から裏面材３２へと連続するカバーの周縁部３３が、部分的に切除されており、型枠２８を嵌め込む隙間３４がカバー３０の外面に現われる露出口３６を形成している点にある。
【００１６】
本発明に係る肢体支持面カバーの第８の特徴は、上記第７の特徴に加えて、露出口３６が、型枠２８のコーナー３７に向き合うカバーの周縁部３３のコーナーに設けられている点にある。
【００１７】
本発明に係る肢体支持面材は、
（ａ）  肢体支持装置品の肢体支持面を形取る型枠２８が、前掲請求項１に記載のカバー３０の表面材３１と裏面材３２との間の隙間３４に、嵌込口３５から押し込まれ、カバー３０によって被覆されており、
（ｂ）  型枠２８の周縁が、カバー３０の周縁部３３の内面に密着しており、
（ｃ）  嵌込口３５の周縁の係止部材１５が、カバー３０の表面材３１に表裏する型枠２８の底面、または、カバー３０の周縁部３３に表裏する型枠２８の内側側面に係止されていることを第１の特徴とする。
【００１８】
本発明に係る肢体支持面材の第２の特徴は、上記第１の特徴に加えて、カバー３０の係止部材１５が、カバー３０の内側に向けて隆起した係止爪１６を具備する複数個の舌片１７によって構成されており、それらの係止爪１６の爪先１８が、嵌込口３５の周縁からカバーの周縁部３３を経て表面材３１に向かう方向に突出しており、その舌片本体１７と爪先１８の間が嵌合隙間１９になっており、それら複数個の舌片１７が、嵌込口３５の周縁に沿って配列されている爪先１８が裏面材３２からカバーの周縁部３３を経由して表面材３１へと向かう方向に突出している係止爪１６がカバー３０の内側に向けて隆起している複数個の舌片１７によって構成されており、その複数個の舌片１７が、嵌込口３５の周縁に沿って配列されており、型枠２８の底面または内側側面に、カバー３０の係止部材１５の爪先１８が引っ掛かる溝縁２６を有する係合溝２５が、型枠２８の周縁の続く方向に沿って連続して設けられており、その係合溝２５の溝縁２６が、カバー３０の舌片本体１７と爪先１８の間の嵌合隙間１９に嵌合している点にある。
【００１９】
本発明に係る肢体支持面材の第３の特徴は、第１、第２の何れかの特徴に加えて、表面材３１から裏面材３２へと連続するカバーの周縁部３３が、部分的に切除されており、型枠２８を嵌め込む隙間３４がカバー３０の外面に現われる露出口３６を形成しており、型枠２８の一部が、その露出口３６から露出している点にある。
【００２０】
本発明に係る肢体支持面材の第４の特徴は、上記第３の特徴に加えて、露出口３６が、型枠２８のコーナー３７に向き合うカバーの周縁部３３のコーナーに設けられている点にある。
【００２１】
本発明に係る椅子は、上記特徴を有する肢体支持面材１０によって肢体支持面１１が構成されていることを特徴とする。
【発明の効果】
【００２２】
本発明に係るカバー３０は、肢体支持面１１の全面を覆う表面材３１と型枠の周囲を構成する枠桿１２を覆う裏面材３２とから成り、表面材３１の周縁が型枠２８に折り返されて裏面材３２へと続き、その表面材３１から続く裏面材３２に囲まれた嵌込口３５が肢体支持面１１の裏側に形成され、言わば周縁の絞り込まれた水盤形状を成し、その嵌込口３５の周縁は伸縮可能であり、嵌込口３５の周縁を拡張して型枠２８をカバー内に出し入れ可能になっている。
そして、四辺形の対角線が四辺形の一辺よりも長いことから、格別抵抗を受けることなく型枠四方の中の一辺（１２ａ）を嵌込口３５に差し込むことが出来、その差し込んだ一辺の枠桿１２ａをカバーの周縁部３３ａの内側に密着させることが出来る。
【００２３】
カバー３０を型枠２８に被せる場合は、そのように型枠の一辺（１２ａ）を周縁部３３ａの内側に密着させてから、その差し込んだ型枠２８の一辺（１２ａ）の左右の枠桿１２ｂ・１２ｄを、嵌込口３５を左右に引っ張って拡張しながら嵌め込み、次いで、先に嵌め込んだ枠桿１２ａに向き合う他の枠桿１２ｃを、その向き合う方向に嵌込口左右の裏面材３２ｂ・３２ｄを引っ張って伸長しつつ、嵌込口３５に嵌め込むことになる。
その場合、裏面材３２は、その幅が枠桿１２を覆う程度の狭く、１０％伸長時の伸長応力が５０Ｎ／５ｃｍ〜６００Ｎ／５ｃｍの弾性布帛に成ることから、その長さ方向、即ち、その裏面材３２が密着している枠桿１２の長さ方向に引っ張って伸長し易い。従って、最後の枠桿１２ｃを嵌込口３５に嵌め込むに際して、その最後の枠桿１２ｃに隣り合う左右の裏面材３２ｂ・３２ｄを格別強く伸長する必要はない。
【００２４】
そして、肢体支持装置品の使用中に肢体支持面１１に肢体から作用する押圧力は、カバーの全周縁部３３に分散し、嵌込口３５の一部に集中して作用することはない。特に、１０％伸長時の伸長応力が５０Ｎ／５ｃｍ〜６００Ｎ／５ｃｍの弾性布帛に成るカバー３０では、表面材３１から裏面材３２へと折り返されおり、その折返部分である周縁部３３が枠桿１２に密着しており、その周縁部３３と枠桿１２の間には強い摩擦抗力が作用するので、嵌込口３５の周縁を縁取る裏面材３２ａ・３２ｂ・３２ｃ・３２ｄに弛みは生じない。
加えて、嵌込口３５の周縁は、係止部（１５・２７）を介して枠桿１２に係止されており、使用中に肢体支持面１１に作用する押圧力は、裏面材３２の表面に並行に作用するとしても、裏面材３２の表面に対して垂直には作用せず、それらの係止部（１５・２７）の係合を解除する剥離応力となって作用することはない。従って、肢体支持装置品の使用中に肢体支持面１１に作用する押圧力によってカバー３０が型枠２８から外れることはない。従って、本発明によると、カバー３０を強く緊張して簡便に型枠２８を確り張設することが出来、肢体支持装置品の使用中にカバー３０が型枠２８から外れることはなく、それを手軽に取り替えて肢体支持装置品のデザインを一新することが出来る。
本発明の肢体支持面カバーは、それを複数枚用意しておき、随時取り替えて肢体支持装置品を清潔に保ち、四季に応じたデザインを楽しむ上で頗る好都合である。
【００２５】
本発明では、爪先１８を有する係止部材１５をカバー３０に設ける一方、その爪先１８が引っ掛かる縁材２７を枠桿１２に設けており、使用中に肢体支持面１１に押圧力が作用するときは、その押圧力は、表面材３１から裏面材３２へと伝って係止部材１５と縁材２７の間に作用する。そうすると、その押圧力の作用方向において、係止部材の爪先１８は、枠桿の係合溝２５に一層深く嵌合し、枠桿の係合溝の溝縁２６は、係止部材の係止爪の嵌合隙間１９に一層深く嵌合する。そして、嵌込口３５のサイズが型枠２８のサイズよりも狭いことからしても、肢体支持装置品の使用中にカバー３０が型枠２８から外れることはない。
【００２６】
本発明では、その係合溝２５を、枠桿１２の長さ方向に沿って枠桿１２に接合した縁材２７の側縁（２６）と枠桿１２の間の隙間として形成されており、その係合溝２５を形成する縁材２６によって枠桿１２が補強され、肢体支持面１１が強度的に安定する。
【００２７】
嵌込口３５の周縁に取り付ける係止部材１５を、裏面材の端縁１３に沿って配列された係止爪１６を有する多数の舌片１７によって構成し、その配列されて隣り合う舌片１７と舌片１７の間に間隙２０を設けると、その隣り合う舌片１７と舌片１７の間が可撓になり、舌片１７を１個ずつ押し出して溝縁２６に引っ掛けることが出来る。従って、係止部材全体、即ち、全ての舌片を一括して押し出し、一度に溝縁２６に引っ掛ける必要はない。又、舌片１７を１個ずつ押し出す場合は、係止部材全体１５を一度に押し出す場合に比して弱い押出力で済む。
このため、弾性布帛によって構成された弾性カバー３０でも、舌片１７を１個ずつ溝縁２６に引っ掛けることによって、強く緊張させて型枠２８に張設することが出来る。
【００２８】
舌片１７を溝縁２６に引っ掛ける場合は、嵌込口３５を拡張して型枠２８にカバー３０が被せられ、カバーの周縁部３３ａの内側が型枠２８に密着し、嵌込口３５の周縁に設けられた舌片１７が枠桿１２に接近している。そして、舌片１７を溝縁２６へと格別強く押し出す必要はなく、仮に、舌片１７を溝縁２６に掛け損ねても、型枠２８が表面材３１と裏面材３２との間の隙間３４に嵌まり込んでおり、カバー３０が型枠２８から外れてしまう訳ではなく、自由にやり直せるので、カバー３０の型枠２８へ張設作業が楽になる。
【００２９】
係止部材１５は隣り合う舌片１７と舌片１７の間で可撓になっており、舌片１７を１個ずつ押し出す際に、隣り合う舌片１７・１７の間で係止部材１５が曲折自由になる。
このため、押し出す１個の舌片１７に作用する押出力は、それに隣り合う他の舌片１７に分散して作用し難く、その押出力を１個の舌片１７に集中させ易い。
そして、裏面材３２は可撓性に富み、指先などで表面を押圧するときは窪み、指先などからの押出力が裏面材３２の表側から舌片１７に作用するので、枠桿１２の表面を滑らせるように爪先１８を枠桿１２の外側へと押し出すことが出来る。
そして、その押し出す押圧力を解けば、爪先１８を押し出してカバー３０に生じた反力によって爪先１８が引き戻されて枠桿に引っ掛かり、裏面材の端縁１３が枠桿１２に係止される。
【００３０】
その舌片１７を裏面材３２の外側から押圧して押し出せば、爪先１８が溝縁２６から外れ、そのとき爪先１８への押圧を解く共に舌片１７の後端側を押圧すると、舌片が引き戻されて枠桿１２から外れ、カバーが型枠から取り外せるようになる。このように、カバー３０を型枠２８に張設し易く、手軽に取り替えて肢体支持装置品のデザインを一新することが出来、カバー３０が汚れたときには随時取り外して洗濯することが出来る。枠桿１２の長さ方向に沿って配列された多数の舌片１７の爪先１８が、枠桿１２の長さ方向に沿って続く係合溝２５に係合して係止されるので、カバー３０が枠桿１２の長さ方向にズレ動くこともない。
【００３１】
本発明に係る係止部材１５の隣り合う舌片１７と舌片１７の間が、爪先１８の突出方向の逆方向における舌片１７の端部において連結されており、裏面材の端縁１３に沿って配列されて隣り合う舌片１７と舌片１７の間に間隙２０がある。
このため、その間隙２０から間隙２０へと縫糸２１が飛び越えて舌片１７を裏面材３２に縫合することが出来る。
そのように、隣り合う舌片１７と舌片１７の間が連結部２４によって可撓に連結された係止部材１５では、舌片１７を１個ずつ取り出して裏面材３２に縫合する必要はなく、その多数の舌片の上をミシン糸目（２１）が通るようにミシン掛けをして連続して舌片１７をカバー３０に効率的に縫合することが出来、裏面材３２の端縁１３への係止部材１５の取り付けに手間取らず、確り取り付けることが出来る。
【００３２】
舌片１７と舌片１７の間が分割された係止部材１５では、舌片１７を押し出して爪先１８を溝縁２６に引っ掛ける際に、その押し出す押出力が、その隣り合う他の舌片１７に分散し難く、その押し出す１個の舌片１７に押出力を集中させて作用させ易い。
隣り合う舌片１７と舌片１７の間が連結部２４によって可撓に連結された係止部材１５では、それらの舌片を連続して裏面材３２に縫合し、その後、裏面材３２と共に係止部材１５を折り曲げて連結部２４を亀裂させて、個々の舌片に分割することが出来る。
従って、舌片１７と舌片１７の間を分割する場合でも、舌片１７と舌片１７の間が連結部２４によって可撓に連結された係止部材１５は実用的である。
【００３３】
本発明によると、カバーの係止部材１５は、隙間３４を間に挟んで表面材３１に向き合う裏面材３２の内面に取り付けられ、裏面材３２に覆われる。枠桿１２の係止部（２７）は、そこに係止されたカバーの係止部材１５に覆われる。
従って、カバー３０と枠桿１２の係止部（１５・２７）は、裏面材３２に覆われて嵌込口３５の周縁に露顕することはなく、肢体支持装置品が美しく仕上がる。
【００３４】
表面材３１から裏面材３２へと連続するカバーの周縁部３３を部分的に切除して露出口３６を形成すると、嵌合口３５の周縁を伸長し易く、型枠２８にカバー３０を装着し易くなる。特に、型枠２８のコーナー３７に向き合う部分に露出口３６を設けると、型枠の一辺の枠桿１２ａを嵌込口３５に嵌め込み、次いで、その左右の枠桿１２ｂ・１２ｄを嵌込口３５に嵌め込み、次いで、残りの枠桿１２ｃを嵌め込む過程において、コーナー３７が露出口３６から突き出た分だけ、型枠２８をカバーの周縁部３３の内側で移動させる余裕が出来る。その結果、型枠２８の四方四辺とカバー３０の四方四辺との位置合わせが容易になり、型枠２８にカバー３０を装着する作業効率が高まる。
そして、露出口３６から露出した型枠２８の一部は、椅子その他の肢体支持装置品のフレームに直接接合することが出来、肢体支持面材１０がフレームに取り付け易く、肢体支持装置品が組み立て易くなる。
【図面の簡単な説明】
【００３５】
【図１】本発明に係る肢体支持面材の斜視図であり、一部を円で囲んで拡大して図示している。
【図２】本発明に係る肢体支持面カバーの裏面斜視図である。
【図３】本発明に係る肢体支持面材の要部断面斜視図である。
【図４】本発明に係る係止部材の平面図である。
【図５】本発明に係る肢体支持面カバーの要部断面図である。
【発明を実施するための形態】
【００３６】
カバー３０には、肢体支持面のクッション性からして伸び率１０％に伸長する過程で生じるヒステリシスロス率が２０〜４５％の弾性布帛、好ましくは、１０％伸長時の伸長応力が５０Ｎ／５ｃｍ〜３００Ｎ／５ｃｍ、更に好ましくは、１０％伸長時の伸長応力が１５０Ｎ／５ｃｍ〜３００Ｎ／５ｃｍの弾性布帛を使用することが望ましい。
弾性糸条には繊度３００ｄｔｅｘ〜３０００ｄｔｅｘのポリエーテルエステル系モノフィラメント弾性糸（例えば、東洋紡績株式会社製品名：ダイヤフローラ）が好適に使用される。
【００３７】
弾性布帛は、織地でも編地でもよい。織地では、弾性糸条を経糸にも緯糸にも使用することが出来るが、好ましくは緯糸に用いる。緯編地では、非弾性糸によって編成されるベース編地に弾性糸条を、ニットループを形成することなく、コース方向に挿入して編み込むとよい。緯糸挿入経編地では、弾性糸条を緯糸に使用する。緯糸を挿入しない通常の経編地では、ニットループを形成する編糸にもニットループを形成しない挿入糸にも弾性糸条を使用することが出来るが、好ましくはニットループを形成する編糸として弾性糸条を適用するとよい。弾性布帛は、経緯何れか一方、特に、弾性糸条が一直線状に連続する方向における１０％伸長時の伸長応力が１５０Ｎ／５ｃｍ〜３００Ｎ／５ｃｍになるものであればよく、経緯双方における１０％伸長時の伸長応力を１５０Ｎ／５ｃｍ〜３００Ｎ／５ｃｍにする必要はない。
【００３８】
表面材３１と裏面材３２とは、カバー３０の周縁部３３において直接縫合してもよく、表面材３１や裏面材３２とは別に裁断した周縁材を介して縫合してもよく、又、表面材３１や裏面材３２には芯地や補強布を取り付けることも出来る（図５参照）。カバー３０の係止部（１５）と枠桿１２の係止部（２７）との係合箇所は、図３に示すように内側面にするとよいが、図１に示すように枠桿１２の底面であってもよい。
【００３９】
カバー３０が、破断伸度６０％以上、１５％伸長後の弾性回復率９０％以上の弾性糸条を使用して構成され、１０％伸長時の伸長応力が５０Ｎ／５ｃｍ〜６００Ｎ／５ｃｍの弾性布帛によって縫製されているので、嵌込口３５の周縁を弾性的に伸縮拡張して型枠２８をカバー内部に出し入れすることが出来る。従って、嵌込口３５の周縁の伸縮性が係止部（１５）によって損なわれることがなく、型枠２８の出し入れに支障を来すことがないようにする。
【００４０】
そのためには、嵌込口３５の周縁の全長ａをカバー３０の周縁の全長ｂの概して７０〜９７％（ａ＝０．７５×ｂ〜０．９７×ｂ）になるようにする。そうするのは、嵌込口３５の周縁の全長ａが、カバー３０の周縁の全長ｂの７０％未満になると、型枠２８の出し入れに際して嵌込口３５の周縁を強く引っ張って広く拡張しなければならず、カバー３０の嵌込口３５の周縁が破れる虞がある一方、カバー３０の周縁の全長ｂの９７％以上になると、型枠２８を嵌め込む表面材３１と裏面材３２の間の隙間３４が浅く、型枠２８の周縁をカバー３０の周縁部３３の内面に強く密着させ難くなるためである。
これらの点を考慮して、嵌込口３５の周縁の全長ａをカバー３０の周縁の全長ｂの８５％前後（８０〜９０％）になるようにすることが望ましい。その場合、特に、嵌込口３５の周縁の全長ａをカバー３０の周縁の全長ｂの８５％以上にした結果、型枠２８を嵌め込む表面材３１と裏面材３２の間の隙間３４が浅くなり、嵌込口３５を縁取る裏面材３２によって型枠２８の底面側を覆い隠し難くなる場合には、嵌込口３５を縁取る裏面材の端縁１３を係止部材１５よりも長く突き出し、或いは、裏面材の端縁１３に飾り布を取り付ける（図５参照）。
【００４１】
又、嵌込口３５の周縁の伸縮性が係止部（１５）によって損なわれることがなく、型枠２８の出し入れに支障を来すことがないようにするためには、係止部材１５を複数個の舌片１７によって構成するとよく、その舌片１７と舌片１７を連結部２４によって連結した係止部材１５では、係止部材１５を裏面材３２に縫合してから折り曲げて連結部２４を破断させ、舌片１７が嵌込口３５の周縁に沿って点在するようにする。
舌片１７と舌片１７を連結部２４によって連結した係止部材１５では、それをプラスチック製にし、係止部材１５を裏面材３２に縫合してから折り曲げて連結部２４を破断させ、個々の舌片１７・１７・１７………に分割する。そのためには、亀裂し易い硬質プラスチックを舌片１７に適用し、舌片１７と舌片１７の間の連結部２４には、応力が集中するウィークポイントを設けることが望ましい（図４）。
【００４２】
或いは又、嵌込口３５の周縁の伸縮性が係止部（１５）によって損なわれることがなく、型枠２８の出し入れに支障を来すことがないようにするためには、カバーの周縁部３３に切除された露出口３６を設けるとよい。嵌込口３５の周縁に取り付ける係止部１５にスライドファスナーを用いるときは、スライドファスナーを部分的に飛び飛びに取り付けるとよく、型枠２８のコーナー３７に向き合う部分にまでスライドファスナーを連続させないようにするとよい。嵌込口３５の周縁に取り付ける係止部１５に面ファスナーを用いるときは、伸縮自在なループパイル編地を雌型面ファスナーに用い、それを嵌込口３５の周縁に取り付けるとよい。
【００４３】
舌片１７、スライドファスナー、および、面ファスナーは、嵌込口３５の周縁や型枠２８の全周に取り付ける必要はなく、嵌込口３５や型枠２８の向き合う二辺にだけ設けることも出来る。例えば、嵌込口３５や型枠２８の向き合う二辺にスライドファスナー、或いは、面ファスナーを設け、その二辺に直交して向き合う他の二辺には、舌片１７が続く係止部材１５を設けることも出来る。
係止部材１５の係止爪１６の係合する係合溝２５は、単に縁材２７を枠桿１２にビス止めし、溶接等の慣用手段によって接合するだけで形成することが出来る。
カバー３０と型枠２８との雌雄対応する係止部（１５・２７）には、面ファスナーやスライドファスナーの他にホックやフック等を適用することも出来る。
【００４４】
舌片１７には、縫糸２１を縫い込む縫孔２２を設け、又、裏面材の端縁１３に並行に続く方向に続く糸溝２３を設けておくとよい。そのように、舌片１７に糸溝２３を設けておくと、縫糸２１の縫い目から舌片１７から外れ難くなるだけではなく、縫糸２１が枠桿１２や溝縁２６に触れて損耗することもなく、縫糸２１に妨げられて係止爪１６と係合溝２５が嵌合し難くなることもない。
【産業上の利用可能性】
【００４５】
本発明の肢体支持面材１０は、肢体を載せて使用されるベッド、マットレス、枕、肘掛け、車椅子、座椅子、椅子、背凭れ、車両座席等に適用することが出来る。
【００４６】
本発明の舌片１７は、緞子張り内装材にも適用することが出来る。即ち、壁面や天井面等の周縁四方に枠桿１２を固定する一方、壁張地や天井張地等の内装布帛の周縁に舌片１７を取り付け、肢体支持面１１を形成するように、向き合う枠桿間に内装布帛を張設して屋内や車内を装飾するために本発明を適用することが出来る。その場合の内装布帛は、弾性糸を使用しない織物、編物、不織布、人工皮革、合成皮革等であってもよい。
【符号の説明】
【００４７】
１０：肢体支持面材
１１：肢体支持面
１２：枠桿
１３：端縁
１５：係止部材（係止部材本体・係止部）
１６：係止爪
１７：舌片（舌片本体）
１８：爪先
１９：嵌合隙間
２０：間隙
２１：縫糸
２２：縫孔
２３：糸溝
２４：連結部
２５：係合溝
２６：溝縁
２７：縁材（係止部）
２８：型枠
３０：カバー
３１：表面材
３２：裏面材
３３：周縁部
３４：隙間
３５：嵌込口
３６：露出口
３７：コーナー
【図１】
2010246617.tif 000003
【図２】
2010246617.tif 000004
【図３】
2010246617.tif 000005
【図４】
2010246617.tif 000006
【図５】
2010246617.tif 000007